(57)【要約】【課題】低温のミストを噴霧してファンにより送風して周りの温度を効果的に下げることができる冷風ファンを提供する。【解決手段】冷風ファンは、ミスト発生装置１を備える。ミスト発生装置１は、ファンフレームを挟持する挟持部１１を有する。ミスト発生装置１内には、内側に支持部材１２１を有する水受空間１２が凹設されている。水受空間１２は、ミスト発生ユニット１３と連通する。ミスト発生ユニット１３上に噴霧孔１３１が設けられ、水受空間１２に対応した箇所に収納空間１４が設けられる。収納空間１４内には、冷却部材１５が収納される。収納空間１４の底部には、水受空間１２内の支持部材１２１に対応した箇所にバルブ１４４が設けられている。【選択図】図１
0003172264.tif 000002
【実用新案登録請求の範囲】
【請求項１】
ミスト発生装置を備える冷風ファンであって、
前記ミスト発生装置は、ファンフレームを挟持する挟持部を有し、
前記ミスト発生装置内には、内側に支持部材を有する水受空間が凹設され、
前記水受空間は、ミスト発生ユニットと連通し、
前記ミスト発生ユニット上に噴霧孔が設けられ、
前記水受空間に対応した箇所に収納空間が設けられ、
前記収納空間内には、冷却部材が収納され、
前記収納空間の底部には、前記水受空間内の前記支持部材に対応した箇所にバルブが設けられていることを特徴とする冷風ファン。
【請求項２】
前記収納空間の上縁には、前記冷却部材に対応した位置決め凸縁が突設され、
前記収納空間の底部には、前記冷却部材を出し入れするために用いる開口部が設けられ、
前記収納空間の底部に設けられた前記開口部から前記冷却部材を入れ、前記開口部の外側が蓋体によりカバーされ、
前記蓋体には、前記水受空間内の前記支持部材に対応した箇所に前記バルブが設けられていることを特徴とする請求項１に記載の冷風ファン。
【請求項３】
前記収納空間の底縁には、前記冷却部材に対応した位置決め凸縁が突設され、
前記収納空間の底部には、前記水受空間内の前記支持部材に対応した箇所に前記バルブが設けられ、
前記収納空間の頂端には、前記冷却部材を出し入れするために用いる開口が設けられ、前記開口の外側が上蓋によりカバーされることを特徴とする請求項１に記載の冷風ファン。
【考案の詳細な説明】
【技術分野】
【０００１】
本考案は、冷風ファンに関し、ミスト発生装置により低温のミストを噴霧し、ファンによりミストを送風して周りの温度を有効に下げることができる冷風ファンに関する。
【背景技術】
【０００２】
近年、温室効果の影響で、全世界の気温が次第に高くなってきており、毎年夏になると耐え切れないほどの暑さとなり、暑い地域では気温が３０度以上となることがある。特に熱帯気候の地域は非常に暑くなっている。温室効果の影響が大きくなるにつれて気温が益々高くなり、冬でも暑い地域が現れるほどとなっているため、多くの人々は涼しく快適に過ごせるように室温を下げたり体温を下げたりすることができる電気製品、用品などが人々の日常生活において必需品となっている。
【０００３】
一般に、室温を下げたり体温を下げたりするために用いる電気製品（例えば、クーラー、扇風機など）は、電力消費が多い。現代社会は様々な資源が足りなくなってきて、原料の値段が益々高くなってきており、クーラーを使用した場合、ユーザは高額な電気料金を支払うこととなり非常に大きな負担となっている。扇風機は羽根により送風を行って温度を下げる方式を採用しているため、温度を大幅に下げることはできなかった。そのため、その効果は限定的なものであり、特に気温が非常に高い環境においては、羽根により送風を行う扇風機はその使用効果に限界があった。
【０００４】
例えば、特許文献１に開示されている「ミスト発生装置が結合された涼風ファン構造」は、ファン羽根及びファン外カバーを含むファン本体と、ファン本体を支えるファンフレーム及び内蔵電子機械構造と、適宜な箇所に配置されて水を含むミストを発生させるミスト発生装置と、を含む。
【０００５】
特許文献１記載された涼風ファンは、空気を浄化して周りの気温を下げることができるが、実際に使用する際、ミスト発生装置により発生させた水霧をファンにより送風して気温を下げるため、その効果には限界があり、空気の温度を大幅に下げることが困難であるため改良が求められていた。
【先行技術文献】
【特許文献】
【０００６】
【特許文献１】台湾実用新案登録第２８６８６８号公報
【考案の概要】
【考案が解決しようとする課題】
【０００７】
本考案の目的は、ミスト発生装置から低温のミストを噴霧させ、ファンにより送風して周りの温度を有効に下げることができる冷風ファンを提供することにある。
【課題を解決するための手段】
【０００８】
上記した課題を解決するために、本考案の第１の形態によれば、ミスト発生装置を備える冷風ファンであって、前記ミスト発生装置は、ファンフレームを挟持する挟持部を有し、前記ミスト発生装置内には、内側に支持部材を有する水受空間が凹設され、前記水受空間は、ミスト発生ユニットと連通し、前記ミスト発生ユニット上に噴霧孔が設けられ、前記水受空間に対応した箇所に収納空間が設けられ、前記収納空間内には、冷却部材が収納され、前記収納空間の底部には、前記水受空間内の前記支持部材に対応した箇所にバルブが設けられていることを特徴とする冷風ファンを提供する。
【０００９】
また、前記収納空間の上縁には、前記冷却部材に対応した位置決め凸縁が突設され、前記収納空間の底部には、前記冷却部材を出し入れするために用いる開口部が設けられ、前記収納空間の底部に設けられた前記開口部から前記冷却部材を入れ、前記開口部の外側が蓋体によりカバーされ、前記蓋体には、前記水受空間内の前記支持部材に対応した箇所に前記バルブが設けられていることが好ましい。
【００１０】
また、前記収納空間の底縁には、前記冷却部材に対応した位置決め凸縁が突設され、前記収納空間の底部には、前記水受空間内の前記支持部材に対応した箇所に前記バルブが設けられ、前記収納空間の頂端には、前記冷却部材を出し入れするために用いる開口が設けられ、前記開口の外側が上蓋によりカバーされることが好ましい。
【考案の効果】
【００１１】
本考案に係る冷風ファンは、ミスト発生装置から低温のミストを噴霧させ、ファンにより送風することにより、周りの温度を効果的に下げることができる。
【図面の簡単な説明】
【００１２】
【図１】本考案の一実施形態による冷風ファンを示す分解斜視図である。
【図２】本考案の他の実施形態による冷風ファンを示す分解斜視図である。
【図３】本考案の一実施形態による冷風ファンを示す断面図である。
【図４】本考案の一実施形態による冷風ファンを示す断面図である。
【図５】本考案の一実施形態による冷風ファンを使用しているときの状態を示す斜視図である。
【考案を実施するための形態】
【００１３】
図１を参照する。図１に示すように、本考案の一実施形態による冷風ファンは、ミスト発生装置１を含む。このミスト発生装置１は、外側に固定部材１１１が設けられた挟持部１１を有する。ミスト発生装置１内には、内側に支持部材１２１が設けられた水受空間１２が凹設されている。水受空間１２は、ミスト発生ユニット１３と連通し、ミスト発生ユニット１３上に噴霧孔１３１が設けられている。ミスト発生装置１には、水受空間１２に対応した箇所に収納空間１４が設けられている。収納空間１４内には、冷却部材１５が収納されている。この冷却部材１５は、冷蔵庫内に入れると凍り、周りの環境の気温を下げて物を冷やす作用を有し、収納空間１４の上縁には、冷却部材１５に対応するように位置決め凸縁１４１が突設され、収納空間１４の底部には、冷却部材１５を設置したり取り出したりするために用いる開口部１４２が設けられ、収納空間１４の底部の開口部１４２から冷却部材１５を内側に入れ、開口部１４２の外側が蓋体１４３によりカバーされる。この蓋体１４３には、水受空間１２内の支持部材１２１に対応した箇所にバルブ１４４が設けられている。
【００１４】
図２を併せて参照する。図２に示すように、本考案の一実施形態による冷風ファンは、ミスト発生装置１の収納空間１４が底縁において、冷却部材１５に対応して位置決め凸縁１４１が突設され、冷却部材１５の位置を拘束し、収納空間１４の底部には、水受空間１２内の支持部材１２１に対応するバルブ１４４が設けられている。収納空間１４の頂端には、冷却部材１５を設置したり取り出したりするために用いる開口１４５が設けられている。開口１４５の外側は、上蓋１４６によりカバーされている。
【００１５】
図３を併せて参照する。図３に示すように、本考案の一実施形態による冷風ファンのミスト発生装置１の水受空間１２内には水が収容されている。この収納空間１４内には、冷却部材１５が収容され、水受空間１２上に収納空間１４が設置されると、水受空間１２内の支持部材１２１により収納空間１４の底部に設けられたバルブ１４４が押し開かれ、水受空間１２内に収容した水がバルブ１４４を介して収納空間１４内の冷却部材１５と接触され（図４を併せて参照する。）、冷却部材１５により水受空間１２内の水温を下げ、ミスト発生ユニット１３の噴霧孔１３１から低温のミストが噴霧され、周りの環境の気温を下げる。
【００１６】
図５を参照する。図５に示すように、本考案の一実施形態による冷風ファンは、挟持部１１により、ファン２のフレーム２１上にミスト発生装置１を挟持することができる上、挟持部１１の外側に設けた固定部材１１１により、ミスト発生装置１の挟持部１１をファン２のフレーム２１へ安定的に位置決めし、ミスト発生装置１とファン２とを結合して位置決めすることにより不用意に外れることを防ぎ、ミスト発生装置１のミスト発生ユニット１３の噴霧孔１３１は、連通管１３２を介して位置決め部材１３３に接続される。位置決め部材１３３は、ファン２の前端に設けられた保護網２２上に固設され、ミスト発生ユニット１３は、噴霧孔１３１から低温のミストを噴霧し、連通管１３２を介して位置決め部材１３３から外側に噴霧し、ファン２から送られた風により周りの環境の気温を下げることができる。
【００１７】
上述したことから分かるように、本考案の冷風ファンは、ミスト発生装置から低温のミストを噴霧させ、ファンにより送風することにより、周りの温度を下げることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  ミスト発生装置
２  ファン
１１  挟持部
１２  水受空間
１３  ミスト発生ユニット
１４  収納空間
１５  冷却部材
２１  フレーム
２２  保護網
１１１  固定部材
１２１  支持部材
１３１  噴霧孔
１３２  連通管
１３３  位置決め部材
１４１  位置決め凸縁
１４２  開口部
１４３  蓋体
１４４  バルブ
１４５  開口
１４６  上蓋
【図１】
0003172264.tif 000003
【図２】
0003172264.tif 000004
【図３】
0003172264.tif 000005
【図４】
0003172264.tif 000006
【図５】
0003172264.tif 000007